(57)【要約】【課題】特異な外観を有して他商品との差別化が容易であり、展示スペースの有効利用及び輸送時等の物流特性の向上が図れ、手に持ち易いと共につかんだ時の感触が良く、且つ飲料物を飲み易くした液体紙容器を提供する。【解決手段】紙を基材としたブランクを組み立てて底部３が矩形で、天部１１が略八角形の容器を形成する。この容器の前面壁６は垂直面部６ａとその両側に連設された傾斜面部６ｂ、６ｃを備える。対向する後面壁も同様の構成である。側面壁８は上半部に垂直面部８ａを、下半部に底部３に向かって傾斜する傾斜面部８ｂを備える。対向する側面壁も同様の構成である。天部１１の前半部は下向きに傾斜する矩形傾斜面部１１ａと、その両側に連設されて上向きに傾斜する三角形傾斜面部１１ｂ、１１ｃとを備える。天部１１の後半部もこれとほぼ同様の構成である。前記矩形傾斜面部１１ａのほぼ中央に注出栓１５を取り付ける。【選択図】      図２
2005001671.tif 000002
【特許請求の範囲】
【請求項１】
前面壁と、後面壁と、２つの側面壁とで胴部が形成され、この胴部の下端に底部が形成されると共に上端に天部が形成された液体紙容器であって、前記底部は底面側から見ると矩形に構成され、前記天部は上面側から見ると略八角形に構成されていることを特徴とする液体紙容器。
【請求項２】
前記前面壁と後面壁は、互いに対向する垂直面部と、この垂直面部の両側に連設された傾斜面部とから構成されていることを特徴とする請求項１記載の液体紙容器。
【請求項３】
前記２つの側面壁は、ほぼ中央部を境にして上半部が互いに対向する垂直面部に構成され、下半部が底部に向かってそれぞれ内側に傾斜する傾斜面部に構成されていることを特徴とする請求項１又は請求項２記載の液体紙容器。
【請求項４】
前記天部は、ほぼ上端シール部を境にして前半部がその中央部に設けられて前記前面壁の垂直面部に向かって下側に傾斜する矩形傾斜面部と、その両側に連設されて前記２つの側面壁に向かってそれぞれ上側に傾斜する三角形傾斜面部とから構成されていることを特徴とする請求項１乃至請求項３いずれか１項記載の液体紙容器。
【請求項５】
前記天部における前半部の矩形傾斜面部にストロー孔を設けてシール材を貼付し、又は注出口を設けて注出栓を取り付けることを特徴とする請求項１乃至請求項４いずれか１項記載の液体紙容器。
【発明の詳細な説明】
【０００１】
【発明の属する技術分野】
本発明は、清涼飲料水、ジュース、コーヒー、紅茶又は緑茶、牛乳、酒等の各種飲料物を充填し販売するための液体紙容器に関する。
【０００２】
【従来の技術】
従来、この種の液体紙容器としては牛乳や酒パックとして多用されているゲーベルトップ型のもの、或は清涼飲料水やジュース類のパックとして多用されているブリック型のもの等が広く知られている。又、特殊な形態を採用した多面形のものが例えば特許文献１に開示されている。
【０００３】
【特許文献１】
特開２００１−５８６４７号公報
【０００４】
上記特許文献１に開示されている包装容器は、包材を折り曲げることによって胴部が八角形に形成され、少なくとも頂壁、底壁、前壁及び後壁を備える包装容器本体と、頂壁に形成された注出口を覆うプルタブとを有している。そして、頂壁は注出口部分が凹面状に低く形成され、注出口に近い前壁上部の中央部分が凸面状に形成されている。
【０００５】
前記頂壁の注出口部分が凹面形状を有し、注出口から前壁にかけての部分が周囲より低く形成されているので、飲料物を容器に注ぐ時に注出口から出た液体が頂壁上で左右に広がらず、頂壁と前壁との接線上で幅の狭い流れを形成する。これにより、飲料物が容器の外にこぼれることがなく、又飲料物が前壁を伝って流れるのを防止することができる。更に、注出口に近い前壁上部の中央部分は凸面形状を有し、その中央部分が他の部分より突出しているため、注出口に唇を当てた時の感触が良くなり、飲料物を飲み易いようにしている。
【０００６】
【発明が解決しようとする課題】
上記のような多面形液体紙容器の場合は、次のような問題点がある。
▲１▼  通常の直方体ブリック型のものに比べると特異な外観を有しているため意匠効果及びディスプレイ効果に優れ、他商品との差別化を可能とするが、天部の頂面はほぼ矩形であるため従来のものとの変化は乏しい。従って、需要者の目線より遥かに低い領域に置かれた場合には、近くで見下ろすと特徴のある胴部は見え難く、天部頂面が良く見えて他商品との差別化が低下する。
▲２▼  上下端の台形部が胴部よりも外側に張り出しているため、棚等に並置した時に台形部が多くのスペースを占領して展示スペースの有効利用が図れず、又胴部間に隙間が生じて隣接する容器同士の接触支持力が阻まれることから、輸送時等における物流特性を保つ上で不利になる。
▲３▼  下端の台形部が胴部より外側に張り出しているので、胴部の高さ寸法が低めの少容量の場合には、胴部をつかむ手のひらが下端台形部に接触して持ち難くなり、且つ滑り止めにはなるであろうが手でつかんだ時の感触が悪くなる。
▲４▼  注出口から注出する飲料物の流れを広がらないように整え、しかも注出口に近い前壁上部を外側に湾曲させて飲み易い構造を採用しているが、注出口に唇を付けて直飲するため特に子供や老人にとっては必ずしも飲み易いものとは言えない。
【０００７】
本発明は、上記のような従来の液体紙容器における問題を全て解決する目的でなされたものである。本発明者らは、鋭意研究を重ねた結果、容器全体の形態のみならず特に天部の形状に特徴を付与することにより他商品との差別化に優れ、又並置した場合には容器同士が密着して展示スペースを有効利用できる共に物流特性を保つ上で有効であり、更に手でつかんで持ち易いと共につかんだ時の感触が良く、しかも老人や子供であっても非常に飲み易い構造の液体紙容器を開発して本発明を完成するに至った。
【０００８】
【課題を解決するための手段】
上記の目的を達成するための手段として、本発明の請求項１は、前面壁と、後面壁と、２つの側面壁とで胴部が形成され、この胴部の下端に底部が形成されると共に上端に天部が形成された液体紙容器であって、前記底部は底面側から見ると矩形に構成され、前記天部は上面側から見ると略八角形に構成されていることを特徴とする。これにより、液体紙容器の底部と天部とが異なる形状であるため全体が特異な形態を呈し、しかも天部頂面は略八角形に見えるため通常の直方体ブリック型容器とは容易に差別化することができる。
【０００９】
次に本発明の請求項２は、請求項１記載の液体紙容器において、前記前面壁と後面壁は、互いに対向する垂直面部と、この垂直面部の両側に連設された傾斜面部とから構成されていることを特徴とする。これにより、液体紙容器を並置する時、前面壁と後面壁の台形垂直面部を利用して相互に密着させることができ、展示スペースの有効利用と輸送時等の物流特性の向上を図ることができる。
【００１０】
本発明の請求項３は、請求項１又は請求項２記載の液体紙容器において、前記２つの側面壁は、ほぼ中央部を境にして上半部が互いに対向する垂直面部に構成され、下半部が底部に向かってそれぞれ内側に傾斜する傾斜面部に構成されていることを特徴とする。これにより、側面壁のほぼ下半部が底部に向かってすぼまった形状となっているため手指でつかんで持ち易く、且つ容器の下端部が外側に張り出していないため手でつかんだ時の感触が良い。
【００１１】
本発明の請求項４は、請求項１乃至請求項３いずれか１項記載の液体紙容器において、前記天部は、ほぼ上端シール部を境にして前半部がその中央部に設けられて前記前面壁の垂直面部に向かって下側に傾斜する矩形傾斜面部と、その両側に連設されて前記２つの側面壁に向かってそれぞれ上側に傾斜する三角形傾斜面部とから構成されていることを特徴とする。これにより、天部前半部の矩形傾斜面部をストロー孔又は注出口を設ける領域として利用することができ、この矩形傾斜面部は前面壁に向かって下側に傾斜しており、注出口に注出栓を取り付けても容器の前方や上方に突出しないため邪魔にならない。又、天部前半部における３つの傾斜面部が正面側から略六角形に見えるため、意匠効果及びディスプレイ効果に優れている。
【００１２】
更に、本発明の請求項５は、請求項１乃至請求項４いずれか１項記載の液体紙容器において、前記天部における前半部の矩形傾斜面部にストロー孔を設けてシール材を貼付し、又は注出口を設けて注出栓を取り付けることを特徴とする。これにより、ストロー又は注出栓を介して飲めることとなり、容器に唇を付けて直飲する必要がないので子供や老人にとって非常に飲み易くなる。この場合、ストロー孔に差し込んだストロー又は注出口に取り付けた注出栓は、いずれも手前側に傾斜する状態となるため一層飲み易くなる。
【００１３】
【発明の実施の形態】
次に、本発明に係る液体紙容器の実施形態について添付図面を参照しながら説明するが、あくまでも一実施形態であるに過ぎずこれに限定されるものではない。
図１は本発明による液体紙容器のブランク展開図である。図２は図１のブランクを用いて組み立てられた液体紙容器の外観斜視図である。図３（ａ）は図２に示す液体紙容器の正面図、図３（ｂ）はその上面図である。図４（ａ）は図２に示す液体紙容器の背面図、図４（ｂ）はその底面図である。図５は注出栓の取付部分を示す縦断面図である。図６は本発明による液体紙容器を並置した状態を示す一部側面図である。図７は図６の並置状態を上から見た一部平面図である。
【００１４】
先ず、図１に基づいて本発明による液体紙容器のブランク（素材）について説明する。紙を基材としたブランク１は、例えばＰＥ／クラフト板紙／バリアー層／ＰＥからなる積層構成のもので、バリアー層としてはアルミ箔、シリカ或はアルミ蒸着ＰＥＴが使用される。但し、充填する飲料物の種類によってはバリアー層を設けない場合もある。
【００１５】
このブランク１は、所定の大きさの矩形に設定され、所定の箇所に複数の折り線（罫線）が細い凹溝状に形成されると共に、注出口２となる円孔が穿設されている。実際には、後述するように長尺に巻かれているロールから上記積層基材を順次繰り出し、内容物の充填と同時に容器形成（上記折り線の付与工程などを含む）を行う方法が採用されている。
【００１６】
上記ブランク１には横一直線の折り線が３本設けられ、そのうち下部に位置する折り線Ｌ１より下の領域は液体紙容器（以下、単に容器と称することがある）の底部３を構成する部分であり、矩形の区画内のうち２箇所には略Ｖ字形の折り線Ｌ２が設けられ、最下位の折り線Ｌ３より下の領域は下端シール部４を構成する部分である。
【００１７】
又、略台形に連続する横の折り線Ｌ４と、前記折り線Ｌ１との間の領域は容器の胴部５を構成する部分であり、ブランク１の上縁からほぼ中央部まで垂直に延びる縦の折り線が４本並行に設けられ、これらの縦の並行折り線に続く下部はそれぞれ前記折り線Ｌ１に連結する斜めの折り線になっている。このうち、内側に位置する縦の折り線Ｌ５と縦の折り線Ｌ６とで挟まれた中間領域は容器の前面壁６を構成する部分であり、この前面壁６の中央部には折り線Ｌ４から折り線Ｌ１に至る２本の斜めの折り線を対称に設けることで、容器を組み立てた時に垂直面となる略台形の垂直面部６ａと、その両側に位置して後側に傾斜する傾斜面部６ｂ、６ｃとを形成してある。
【００１８】
一方、外側に位置する縦の折り線Ｌ７と内側に位置する縦の折り線Ｌ５とで挟まれた領域、及び外側に位置する縦の折り線Ｌ８と内側に位置する縦の折り線Ｌ６とで挟まれた領域はそれぞれ容器の側面壁７、８を構成する部分である。この側面壁７、８は、容器を組み立てた時にほぼ中央部を境として上半部が互いに対向する垂直面部７ａ、８ａに形成され、下半部は底部３に向かってそれぞれ内側に傾斜する傾斜面部７ｂ、８ｂに形成されている。
【００１９】
又、上記外側に位置する縦の折り線Ｌ７とブランク１の左端縁とで挟まれた領域、及び外側に位置する縦の折り線Ｌ８とブランク１の右端縁とで挟まれた領域は、左右の端縁部同士を貼り合わせて容器の後面壁９を構成する部分であり、前記折り線Ｌ４から折り線Ｌ１に至る２本の斜めの折り線を左右に振り分けて設けることで、容器を組み立てた時に前記前面壁６の垂直面部６ａと対向する略台形の垂直面部９ａと、その両側に位置して前側に傾斜する傾斜面部９ｂ、９ｃとを左右に振り分けて形成してある。更に、ブランク１の左端縁部とブランク１の右端縁部とを重ね合わせて貼り合わせると、その重ね合わせの幅の真ん中が容器の中央（後面壁の中央）となるように左右端部が等幅に設定されている。
【００２０】
上記略台形に連続する横の折り線Ｌ４と、横一直線に設けた最上位の折り線Ｌ９とで挟まれた領域は容器の天部１１を構成する部分であり、最上位の折り線Ｌ９より上の領域は上端シール部１２を構成する部分である。
【００２１】
上記天部１１を構成する部分には、前記４本の縦の並行折り線Ｌ５、Ｌ６、Ｌ７、Ｌ８が通過している外に、前記折り線Ｌ９から折り線Ｌ４に至る４本の縦の並行折り線が設けられ、中央部の左右台形の区画内には斜めの折り線Ｌ１０が左右対称に設けられ、両隣の矩形の区画内には逆Ｖ字形の折り線Ｌ１１がそれぞれ設けられ、更にその両隣の矩形の区画内には斜めの折り線Ｌ１２が左右対称に設けられている。これにより、容器を組み立てた時にほぼ上端シール部１２を境にして前半部は、前記前面壁６の垂直面部６ａに向かって下側に傾斜する中央の矩形傾斜面部１１ａと、その両側に位置して前記傾斜面部６ｂ、６ｃに接続し且つ左右側方に向かってそれぞれ上側に傾斜する三角形傾斜面部１１ｂ、１１ｃとが形成されている。前記注出口２は矩形傾斜面部１１ａのほぼ中央に位置している。
【００２２】
一方、容器を組み立てた時にほぼ上端シール部１２を境にして後半部は、貼り合わせにより構成される前記後面壁９の垂直面部９ａに向かって下側に傾斜する矩形傾斜面部１１ｄと、その両側に位置して傾斜面部９ｃ、９ｂに接続し且つ左右側方に向かってそれぞれ上側に傾斜する三角形傾斜面部とが左右に振り分けて形成されている。
【００２３】
本発明の容器の製造は、上記ブランク１の形成を含む、容器の形成及び内容物の充填を連続的に行う公知の成形充填装置により行うことができる。
【００２４】
上記の成形充填装置において具体的には、ロールから繰り出された前記積層基材に、所定の折り線（罫線）を形成し、次いで積層基材を複数段に設けたフォーミングローラにより角筒状に形成し、重ね合わされた端部同士を縦方向にシール（縦シール）し、更に縦シールに直交するシール（横シール）を行った後、内容物を充填する。内容物の充填後に、容器１個分に相当する大きさとなるように上記横シールに平行な他の横シールを形成して、当該他の横シールの箇所を切断し、所定箇所を折り曲げ、接着等することにより内容物が充填された所定形状の容器を得る。
【００２５】
尚、上記工程において、一部の折り線は内容物の充填前に折り曲げることもでき、又内容物注出のための開口部は、上記一連の工程内の適宜箇所において形成され得る。図２は、上記の工程により組み立てられた容器全体の外観を示している。
【００２６】
本発明の容器に充填される内容物は、清涼飲料水、ジュース、コーヒー、紅茶、ウーロン茶又は緑茶、牛乳、酒等の飲料が例示できるが、これ以外の飲料や食品、更には非食品も対象とすることができる。又、内容物の性状は通常液状であることが基本であるが、場合によっては固形分を含む液体や、粉流体、その他の固形物を内容物とすることも可能である。
【００２７】
図２において、１５は公知の樹脂製注出栓であり、前記天部１１の矩形傾斜面部１１ａに装着されている。この注出栓１５は、例えば図５に示すように前記矩形傾斜面部１１ａのほぼ中央に設けられている注出口２に挿入して円筒部１５ａを外部に突出させ、下端のフランジ部１５ｂを矩形傾斜面部１１ａの内壁面に接着または加熱融着することにより取り付け固定することができる。前記円筒部１５ａの外周面にはねじ部が設けられ、このねじ部にキャップ１５ｃが螺着されている。尚、フランジ部１５ｂの中央孔は、アルミ箔等のシール材を裏側から貼付してシールするようにしても良い。
【００２８】
上記注出栓１５は容器の組立前に予め取り付けておくが、例えば前記成形機でブランク１を作製した後に取り付けるようにすると好ましい。又、注出栓１５は前記キャップ１５ｃが容器の前面壁６の垂直面部６ａより前方にはみ出さないように、且つ天部１１の上端シール部１２より上方にはみ出さないように大きさを設定すると邪魔にならずに好ましい。
【００２９】
注出栓１５を取り付ける代わりに、図示は省略したが前記天部１１の矩形傾斜面部１１ａのほぼ中央にストロー孔を設け、このストロー孔にアルミ箔等のシール材を裏側（内側）から貼付してシールする構成を採用することもできる。
【００３０】
上記のように構成された本発明に係る液体紙容器は、底部３が図４（ｂ）のように矩形であり、天部１１が図３（ｂ）のように前面壁６の垂直面部６ａの上縁と、後面壁９の垂直面部９ａの上縁（厳密に言うとシール部１０により僅かに段差が生じていて一直線ではない）と、側面壁７の垂直面部７ａの上縁（厳密に言うと耳部１３により僅かに段差が生じていて一直線ではない）と、他方の側面壁８の垂直面部８ａの上縁（これも厳密に言うと耳部１４により僅かに段差が生じていて一直線ではない）と、前面壁６の傾斜面部６ｂ、６ｃの上縁と、後面壁９の傾斜面部９ｂ、９ｃの上縁とにより囲まれた略八角形を呈する特異の形態であるため、全体形状からして他商品との差別化が顕著なものになる。
【００３１】
例えば、コンビニ等の大型冷蔵ケースの下段領域に置かれて需要客の目線より低い場合には、需要客は図３（ｂ）のように上記略八角形の天部１１を上から視認することができ、これにより他商品との識別が容易にできる。又、ケースの中段領域又は上部領域に置かれて需要客の目線の範囲内である場合には、需要客は図３（ａ）のように容器の正面側が見え、前記注出栓１５の取り付けられている天部１１の前半部が矩形傾斜面部１１ａの上下縁と、三角形傾斜面部１１ｂ、１１ｃのそれぞれ二辺とで囲まれた略六角形を呈し、しかも単なる平面ではなく３つの傾斜面からなる特異の三面形態であるため、他商品との識別が容易にできる。更に、正面側から見た場合、胴部５は単一の平面ではなく、垂直面部６ａの両側に位置する傾斜面部６ｂ、６ｃが後側に傾斜する特異な三面形態となっているため、差別化機能を一層向上させることができる。
【００３２】
通常、容器の背面側は他商品との差別化の対象とはならないが、前記上端シール部１２の下に手指を引っ掛けて天部１１をつかみ易いようにした特異な形態になっている。容器を背面側から見ると、図４（ａ）のように全体としてはほぼ正面側と同じ形態を呈するが、上端シール部１２が天部１１の上縁に沿って後側に帯状に突出している（図２参照）。又、天部１１の後半部においては、前記のように矩形傾斜面部１１ｄの両側に位置するのは三角形傾斜面部ではなく、台形傾斜面部１１ｅ、１１ｆ（図１参照）であるため図４（ａ）では明瞭ではないが、この台形傾斜面部１１ｅ、１１ｆの上部領域が上端シール部１２に引きつられて若干下側に湾曲しており、矩形傾斜面部１１ｄの下向き傾斜と相俟って前記帯状の上端シール部１２の下に隙間が生じている。従って、この隙間部分に手指を挿入して上端シール部１２に引っ掛け、且つ上端シール部１２をつかむことで容器を持ち上げることができる。店員が容器を段ボール箱から出して冷蔵ケースの棚等に並べたり、或は持ち運んだりする際に滑り止めとなる。
【００３３】
容器を冷蔵ケースの棚等に並置して展示する場合には、前記対向する前面壁６の垂直面部６ａと後面壁９の垂直面部９ａとを利用して、図６のように複数の容器を相互に当接状態にて前後方向に並置して整列させることができる。従って、容器間に無駄な空間が生じないため展示スペースを有効利用することができ、これにより収容効率を著しく高めることができる。
【００３４】
又、ダンボール箱等に容器を収納して輸送するような場合には、図７のように上面から見て縦方向は前記前面壁６と後面壁９の対向垂直面部６ａ、９ａをぴったり当接させて並置できると共に、横方向も前記側面壁７、８の垂直面部７ａ、８ａをほぼ当接状態で並置することができる。厳密に言えば、垂直面部７ａ、８ａの上端部には前記耳部１３、１４が融着されているため、垂直面部７ａ、８ａをぴったり当接させることはできないが、これらの耳部１３、１４を間に挟みこむようにしてほぼ当接状態に並置することができる。これにより、段ボール箱等の内容積を有効利用できると共に、容器相互の接触により支持力が向上するため輸送中にガタガタ揺れず物流特性を保つ上で有利になる。又、横方向の容器間に若干の隙間が空いているため、段ボール箱等からの容器の取り出しが容易になる。
【００３５】
次に、容器内の飲料物を飲む時の状態について説明する。前記注出栓１５のキャップ１５ｃを開けてコップ等に注出するには、通常容器の下部を片手でつかんで行う。注出栓１５を下に向ける位置関係からして前記側面壁７、８の下部を持つことになるが、この前面壁７、８の下部には前記傾斜面部７ｂ、８ｂが形成されており、しかも図３（ａ）及び図４（ａ）のように底部３に向かってすぼまる形状になっているため容器が持ち易く、且つ容器の下端部が外側に張り出していないので手に持った感触が極めて良好である。例えば、親指で側面壁８の傾斜面部８ｂを押さえ、他の４指で側面壁７の傾斜面部７ｂを押さえることで安定良く容器の下部を持つことができる。この時、人差し指は後面壁９の垂直面部９ａ又は傾斜面部９ｂを押さえるようにしても良い。手指の動きの悪い老人や手のひらサイズの小さい子供であっても持ち易い利点がある。
【００３６】
又、注出栓１５に口を付けて直接飲むには、通常容器の下部を片手でつかんで行う。注出栓１５を手前に向ける位置関係からして前記前面壁６と後面壁９の下部を持つことになるが、この前面壁６、後面壁９の下部には図３（ａ）及び図４（ａ）のように底部に向かって末広形状に広がる垂直面部６ａ、９ａが存在しているため容器が持ち易く、且つ容器の下端部が外側に張り出しておらずしかも側面壁８の下部には底部に向かってすぼまる傾斜面部８ｂがあるため手に持った感触が極めて良好である。例えば、親指で前面壁６の垂直面部６ａを押さえ、他の４指で後面壁９の垂直面部９ａを押さえることで安定良く容器の下部を持つことができる。この時、小指で底部３を押さえるか或は中指と薬指を後面壁９の傾斜面部９ｂを押さえるようにしても良い。手指の動きの悪い老人や手のひらサイズの小さい子供であっても持ち易い利点がある。又、注出栓１５が手前側に傾斜する状態になるので非常に飲み易い。
【００３７】
注出栓１５ではなくストローで飲むには、図示を省略した前記ストロー孔にストローを差し込んでアルミ箔等のシールを開口し、通常容器の下部を片手でつかんで行う。容器の持ち方は上記注出栓１５の場合と同様である。このストローも手前側に傾斜する状態になるので非常に飲み易い。
【００３８】
【発明の効果】
以上説明したように、本発明に係る液体紙容器によれば、従来の容器に比して次のような優れた効果を奏する。
（１）請求項１の構成により、液体紙容器の底部と天部とが異なる形状であるため全体が特異な形態を呈し、しかも天部頂面は略八角形に見えるため通常の直方体ブリック型容器とは容易に差別化することができる。
（２）請求項２の構成により、液体紙容器を並置する時、前面壁と後面壁の台形垂直面部を利用して相互に密着させることができ、展示スペースの有効利用と輸送時等の物流特性の向上を図ることができる。
（３）請求項３の構成により、側面壁のほぼ下半部が底部に向かってすぼまった形状となっているため手指でつかんで持ち易く、且つ容器の下端部が外側に張り出していないため手でつかんだ時の感触が良い。
（４）請求項４の構成により、天部の前半部の矩形傾斜面部をストロー孔又は注出口を設ける領域として利用することができ、この矩形傾斜面部は前面壁に向かって下側に傾斜しており、注出口に注出栓を取り付けても前方や上方に突出しないため邪魔にならない。又、天部の前半部における３つの傾斜面部が正面側から略六角形に見えるため、意匠効果及びディスプレイ効果に優れている。
（５）請求項５の構成により、ストロー又は注出栓を介して飲めることとなり、容器に唇を付けて直飲する必要がないので子供や老人にとって非常に飲み易くなる。この場合、ストロー孔に差し込んだストロー又は注出口に取り付けた注出栓は、いずれも手前側に傾斜する状態となるため一層飲み易くなる。
【図面の簡単な説明】
【図１】本発明による液体紙容器のブランク展開図である。
【図２】図１のブランクを用いて組み立てられた液体紙容器の外観斜視図である。
【図３】（ａ）は図２に示す液体紙容器の正面図、（ｂ）はその上面図である。
【図４】（ａ）は図２に示す液体紙容器の背面図、（ｂ）はその底面図である。
【図５】注出栓の取付部分を示す縦断面図である。
【図６】本発明による液体紙容器を並置した状態を示す一部側面図である。
【図７】図６の並置状態を上から見た一部平面図である。
【符号の説明】
１  ブランク
２  注出口
３  底部
４  下端シール部
５  胴部
６  前面壁
６ａ  垂直面部
６ｂ、６ｃ  傾斜面部
７、８  側面壁
７ａ、８ａ  垂直面部
７ｂ、８ｂ  傾斜面部
９  後面壁
９ａ  垂直面部
９ｂ、９ｃ  傾斜面部
１１  天部
１１ａ  矩形傾斜面部
１１ｂ、１１ｃ  三角形傾斜面部
１３、１４  耳部
１５  注出栓
【図１】
2005001671.tif 000003
【図２】
2005001671.tif 000004
【図３】
2005001671.tif 000005
【図４】
2005001671.tif 000006
【図５】
2005001671.tif 000007
【図６】
2005001671.tif 000008
【図７】
2005001671.tif 000009